【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
底板と該底板の周縁部に形成される側部とを含む収納容器と、
それぞれが発光ベース基板及び該発光ベース基板の一面に配置される複数の発光ダイオードを含んで、前記収納容器内に第１方向に沿って並列に配置収納される複数の発光モジュールと、
前記収納容器内の前記底板の周縁部で前記第１方向と実質的に直交する第２方向の一端と隣接する部位に配置収納され、前記発光モジュールと電気的に接続され前記発光ダイオードの駆動を制御する駆動ユニットと、
前記底板の周縁部で第２方向である一端と隣接する部位上に配置され前記駆動ユニットをカバーするサイドモールドとを有し、
前記駆動ユニットは、前記発光ベース基板の一側にそれぞれ配置され前記発光ダイオードと電気的に接続されることを特徴とするバックライトアセンブリ。
【請求項２】
互いに隣接する前記発光ベース基板の一側に配置され、互いに隣接する前記発光ベース基板を電気的に接続させ、前記サイドモールドによってカバーされる少なくとも１つのモジュール連結ユニットを更に有し、
前記モジュール連結ユニットは、
互いに隣接する前記発光ベース基板の一側にそれぞれ配置されたワイヤーコネクタと、
前記ワイヤーコネクター間を電気的に接続する連結ワイヤーとを含むことを特徴とする請求項１に記載のバックライトアセンブリ。
【請求項３】
前記モジュール連結ユニットは、互いに隣接する前記発光ベース基板の一側にそれぞれ形成された金属パターンと接触して前記金属パターンを互いに電気的に接続させる導電性連結部材を含むことを特徴とする請求項２に記載のバックライトアセンブリ。
【請求項４】
前記複数の発光ベース基板のうちのいずれか１つの発光ベース基板の、前記一面の反対側である他面に配置され、前記底板に形成されたコネクタホールに収容され、外部から前記駆動ユニットを駆動するための駆動信号の印加を受ける外部連結コネクタを更に有することを特徴とする請求項１に記載のバックライトアセンブリ。
【請求項５】
前記外部連結コネクタは、前記発光ベース基板のうちの前記第１方向に沿って最外郭に配置された発光ベース基板の他側に配置されることを特徴とする請求項４に記載のバックライトアセンブリ。
【請求項６】
一面に前記駆動ユニットが配置され、前記底板上の前記第２方向の一端部に配置されて複数の基板連結ユニットを通じて前記発光モジュールと電気的に接続される駆動ベース基板を更に有することを特徴とする請求項１に記載のバックライトアセンブリ。
【請求項７】
前記駆動ベース基板は、前記発光ベース基板と平行して隣接するように前記底板上に配置され、前記第１方向に沿って長く形成されることを特徴とする請求項６に記載のバックライトアセンブリ。
【請求項８】
前記基板連結ユニットのそれぞれは、
前記発光ベース基板から前記駆動ベース基板に向かって突出して形成される突出部と、
前記駆動ベース基板上に配置され、前記突出部を収容して前記突出部と電気的に接続されるソケット部とを含むことを特徴とする請求項７に記載のバックライトアセンブリ。
【請求項９】
前記側部は、前記底板のうち、前記第１方向の両端部にそれぞれ形成される第１及び第２側壁と、前記底板のうち、前記第２方向の両端部にそれぞれ形成される第３及び第４側壁とを含み、
前記第４側壁は、前記サイドモールドと向かい合うように形成され、その縦断面形状が直線形状を有し、
前記第１、第２、及び第３側壁の縦断面形状は、「コ」の字形状を有し、
前記サイドモールドの縦断面形状は、「Ｌ」字形状を有することを特徴とする請求項１に記載のバックライトアセンブリ。
【請求項１０】
前記底板は、前記第１方向の長さが前記第２方向の長さより長い長方形形状を有し、
前記発光ベース基板は、前記第２方向の長さが前記第１方向の長さより長い長方形形状を有することを特徴とする請求項１に記載のバックライトアセンブリ。
【手続補正２】
【補正対象書類名】明細書
【補正対象項目名】発明の名称
【補正方法】変更
【補正の内容】
【発明の名称】バックライトアセンブリ
【手続補正３】
【補正対象書類名】明細書
【補正対象項目名】０００１
【補正方法】変更
【補正の内容】
【０００１】
本発明は、バックライトアセンブリに係り、より詳細には発光ダイオードを光源として具備するバックライトアセンブリに関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記目的を達成するためになされた本発明によるバックライトアセンブリは、底板と該底板の周縁部に形成される側部とを含む収納容器と、それぞれが発光ベース基板及び該発光ベース基板の一面に配置される複数の発光ダイオードを含んで、前記収納容器内に第１方向に沿って並列に配置収納される複数の発光モジュールと、前記収納容器内の前記底板の周縁部で前記第１方向と実質的に直交する第２方向の一端と隣接する部位に配置収納され、前記発光モジュールと電気的に接続され前記発光ダイオードの駆動を制御する駆動ユニットと、前記底板の周縁部で第２方向である一端と隣接する部位上に配置され前記駆動ユニットをカバーするサイドモールドとを有し、前記駆動ユニットは、前記発光ベース基板の一側にそれぞれ配置され前記発光ダイオードと電気的に接続されることを特徴とする。
【手続補正６】
【補正対象書類名】明細書
【補正対象項目名】００１０
【補正方法】変更
【補正の内容】
【００１０】
互いに隣接する前記発光ベース基板の一側に配置され、互いに隣接する前記発光ベース基板を電気的に接続させ、前記サイドモールドによってカバーされる少なくとも１つのモジュール連結ユニットを更に有し、前記モジュール連結ユニットは、互いに隣接する前記発光ベース基板の一側にそれぞれ配置されたワイヤーコネクタと、前記ワイヤーコネクター間を電気的に接続する連結ワイヤーとを含むことが好ましい。
前記モジュール連結ユニットは、互いに隣接する前記発光ベース基板の一側にそれぞれ形成された金属パターンと接触して前記金属パターンを互いに電気的に接続させる導電性連結部材を含むことが好ましい。
前記複数の発光ベース基板のうちのいずれか１つの発光ベース基板の、前記一面の反対側である他面に配置され、前記底板に形成されたコネクタホールに収容され、外部から前記駆動ユニットを駆動するための駆動信号の印加を受ける外部連結コネクタを更に有することが好ましい。
前記外部連結コネクタは、前記発光ベース基板のうちの前記第１方向に沿って最外郭に配置された発光ベース基板の他側に配置されることが好ましい。
【手続補正７】
【補正対象書類名】明細書
【補正対象項目名】００１１
【補正方法】変更
【補正の内容】
【００１１】
一側に前記駆動ユニットが配置され、前記底板上の前記第２方向の一端部に配置されて複数の基板連結ユニットを通じて前記発光モジュールと電気的に接続される駆動ベース基板を更に有することが好ましい。
前記駆動ベース基板は、前記発光ベース基板と平行して隣接するように前記底板上に配置され、前記第１方向に沿って長く形成されることが好ましい。
前記基板連結ユニットのそれぞれは、前記発光ベース基板から前記駆動ベース基板に向かって突出して形成される突出部と、前記駆動ベース基板上に配置され、前記突出部を収容して前記突出部と電気的に接続されるソケット部とを含むことが好ましい。  
【手続補正８】
【補正対象書類名】明細書
【補正対象項目名】００１２
【補正方法】変更
【補正の内容】
【００１２】
前記側部は、前記底板のうち、前記第１方向の両端部にそれぞれ形成される第１及び第２側壁と、前記底板のうち、前記第２方向の両端部にそれぞれ形成される第３及び第４側壁とを含み、前記第４側壁は、前記サイドモールドと向かい合うように形成され、その縦断面形状が直線形状を有し、前記第１、第２、及び第３側壁の縦断面形状は「コ」の字形状を有し、前記サイドモールドの縦断面形状は「Ｌ」字形状を有することが好ましい。
前記底板は、前記第１方向の長さが前記第２方向の長さより長い長方形形状を有し、前記発光ベース基板は、前記第２方向の長さが前記第１方向の長さより長い長方形形状を有することが好ましい。  
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】